(57)【要約】【課題】この発明は、選局された放送の受信未完状態を判断し、受信未完の場合はこれを通知する放送受信装置を提供することを目的としている。【解決手段】  この発明は、所定の放送局から放送される放送を受信するための選局が行われる選局手段と、選局された放送から放送信号を取得し、この放送信号を用いて選局された放送の受信未完状態を判断する受信状態判断手段と、放送の受信未完状態が判断された場合はこれを通知する通知手段とを備えるように構成している。【選択図】  図１
2005136713.tif 000002
【特許請求の範囲】
【請求項１】
放送を受信する放送受信装置において、
所定の放送局から放送される放送を受信するための選局が行われる選局手段と、
前記選局された放送から放送信号を取得し、この取得された放送信号を用いて選局された放送の受信未完状態であるか否かを判断する受信状態判断手段と、
前記受信状態判断手段で放送の受信未完状態であると判断された場合は放送の受信未完状態であることを示す音を出力して通知する通知手段とを備えることを特徴とする放送受信装置。
【請求項２】
放送を受信する放送受信装置において、
所定の放送局から放送される放送を受信するための選局が行われる選局手段と、
前記選局された放送から放送信号を取得し、この取得された放送信号を用いて放送の受信未完状態であるか否かを判断する受信状態判断手段と、
前記受信状態判断手段で受信未完了状態であると判断された場合は選局された放送の受信未完状態であることを示す音を出力して通知する通知手段と、
前記受信状態判断手段で放送の受信未完状態ではないと判断された場合は前記選局された放送の受信未完状態であることを示す音の出力を中止する通知中止手段とを備えることを特徴とする放送受信装置。
【請求項３】
放送を受信する放送受信装置において、
所定の放送局から放送される放送を受信するための選局が行われる選局手段と、
前記選局された放送から放送信号を取得し、この取得された放送信号を用いてこの放送はパレンタルロックが設定された放送であるか否かを判断するパレンタルロック判断手段と、
前記パレンタルロック判断手段でパレンタルロックが設定された放送であると判断された場合は選局が設定された放送はパレンタルロックが設定されている放送であることを示す音を出力して通知するパレンタルロック通知手段とを備えることを特徴とする放送受信装置。
【請求項４】
放送を受信する放送受信装置において、
放送局から放送される所定の放送を予約して受信するための予約手段と、
前記予約に基づいて放送を選局する選局手段と、
前記予約手段から得た情報を元に、予約された時間の前に、予約選局が実行されることを示す音を出力して通知する予約実行通知手段とを備えることを特徴とする放送受信装置。
【請求項５】
放送を受信する放送受信装置において、
放送局から放送される所定の放送を受信するための放送受信手段と、
ユーザによってお好みチャンネルが設定されるお好みチャンネル設定手段と、
前記設定されたお好みチャンネルに基づいて放送を選局する選局手段と、
前記選局された放送から放送信号を取得し、この取得された放送信号を用いて選局された放送の受信未完状態であるか否かを判断する受信状態判断手段と、
前記受信状態判断手段で放送を選局している状態であると判断された場合は、設定されたお好みチャンネル放送を選局している状態であることを示す音を出力して通知する通知手段とを備えることを特徴とする放送受信装置。
【請求項６】
放送を受信する放送受信装置において、
所定の放送局から放送される放送を受信するための選局が行われる選局手段と、
前記選局された放送から放送信号を取得し、この取得された放送信号を用いて放送の受信未完状態であるか否かを判断する受信状態判断手段と、
前記受信状態判断手段で放送を選局している状態であると判断された場合は選局された放送の受信未完状態であることを示す音を出力して通知する通知手段と、
前記受信状態判断手段で放送の選局が完了したと判断された場合は前記選局された放送の受信未完状態であることを示す音の出力を中止する通知中止手段と、
前記選局が完了した放送を再生する再生手段と、
前記選局が完了した放送に映像が関連付けられているか否かを判断する映像判断手段と、
放送に映像が関連付けられていると判断されたされた場合は選局が完了した放送に映像が関連付けられていることを示す音を出力して通知する映像通知手段とを備えることを特徴とする放送受信装置。
【請求項７】
前記通知中止手段で用いられる音はメロディであることを特徴とする請求項１乃至６に記載の放送受信装置。
【請求項８】
所定の放送局から放送される放送を受信するための選局が行われるステップと、
前記選局された放送から放送信号を取得し、この取得された放送信号を用いて選局された放送の受信未完状態であるか否かを判断するステップと、
前記放送の受信未完状態であると判断された場合は放送の受信未完状態であることを示す音を出力して通知するステップとを備えることを特徴とする放送受信方法。
【請求項９】
所定の放送局から放送される放送を受信するための選局が行われるステップと、
前記選局された放送から放送信号を取得し、この取得された放送信号を用いて放送の受信未完状態であるか否かを判断するステップと、
前記放送の受信未完状態であると判断された場合は選局された放送の受信未完状態であることを示す音を出力して通知するステップと、
前記放送の受信未完状態ではないと判断された場合は前記選局された放送の受信未完状態であることを示す音の出力を中止するステップとを備えることを特徴とする放送受信方法。
【請求項１０】
所定の放送局から放送される放送を受信するための選局が行われるステップと、
前記選局された放送から放送信号を取得し、この取得された放送信号を用いてこの放送はパレンタルロックが設定された放送であるか否かを判断するステップと、
前記パレンタルロックが設定された放送であると判断された場合は選局が設定された放送はパレンタルロックが設定されている放送であることを示す音を出力して通知するステップとを備えることを特徴とする放送受信方法。
【請求項１１】
放送局から放送される所定の放送を予約して受信するステップと、
前記予約に基づいて予約を実行するステップと、
予約の実行を示す音を出力して、通知するステップとを備えることを特徴とする放送受信方法。
【請求項１２】
放送局から放送される所定の放送を受信するステップと、
ユーザによってお好みチャンネルが設定されるステップと、
前記設定されたお好みチャンネルに基づいて放送を選局するステップと、
前記選局された放送から放送信号を取得し、この取得された放送信号を用いて選局された放送の受信未完状態であるか否かを判断するステップと、
前記放送の受信未完状態であると判断された場合は放送の受信未完状態であることを示す音を出力して通知するステップとを備えることを特徴とする放送受信方法。
【請求項１３】
所定の放送局から放送される放送を受信するための選局が行われるステップと、
前記選局された放送から放送信号を取得し、この取得された放送信号を用いて放送の受信未完選局状態であるか否かを判断するステップと、
前記放送の受信未完状態であると判断された場合は選局された放送の受信未完状態であることを示す音を出力して通知するステップと、
前記放送の選局が完了したと判断された場合は前記選局された放送の受信未完状態であることを示す音の出力を中止するステップと、
前記選局が完了した放送を再生するステップと、
前記選局が完了した放送に映像が関連付けられているか否かを判断するステップと、
放送に映像が関連付けられていると判断されたされた場合は選局が完了した放送に映像が関連付けられていることを示す音を出力して通知するステップとを備えることを特徴とする放送受信方法。
【発明の詳細な説明】
【技術分野】
【０００１】
この発明は、選局された放送を受信する放送受信装置に関する。またこの発明は、携帯移動可能な放送受信装置に関する。
【背景技術】
【０００２】
現在、テレビジョン放送がデジタル化されつつある（デジタル放送）。また近年、このデジタル放送を携帯移動可能な放送受信装置で受信することが提案されている。しかし、携帯移動可能な放送受信装置においては、移動可能に構成されているため、例えば放送局の受信切換えによって、選局された放送を受信する際に時間を要し、ユーザが放送を視聴することのできない、いわゆる無音の状態（無音状態）が生じることが予想される。しかし、この無音状態をユーザに通知する技術は提供されていない。
【０００３】
特許文献１には電界強度測定部が設けられた携帯移動可能な放送受信装置が受信電界強度に対応した音質で着信メロディーの音質を変更して出力することにより、表示部をみることなく電波状態を知ることができる技術が開示されている。しかしながら、この特許文献１は受信電界強度を通知するものであり、選局された放送を受信する際の無音状態をユーザに通知するものではなかった。
【特許文献１】特開２００３−５１８６３号公報
【発明の開示】
【発明が解決しようとする課題】
【０００４】
そこで、この発明は上記事情を考慮してなされたもので、選局された放送から放送信号を取得し、この取得された放送信号を用いて選局された放送の受信未完状態であるか否かを判断し、放送の受信未完状態の場合は放送を選局している状態であることを通知することを目的とする。
【課題を解決するための手段】
【０００５】
この発明に係る放送受信装置は、所定の放送局から放送される放送を受信するための選局が行われる選局手段と、前記選局された放送から放送信号を取得し、この取得された放送信号を用いて選局された放送の受信未完状態であるか否かを判断する受信状態判断手段と、前記受信状態判断手段で放送の受信未完状態であると判断された場合は放送の受信未完状態であることを示す音を出力して通知する通知手段とを備えるように構成している。
【０００６】
この発明に係る放送受信方法は、所定の放送局から放送される放送を受信するための選局が行われるステップと、前記選局された放送から放送信号を取得し、この取得された放送信号を用いて選局された放送の受信未完状態であるか否かを判断するステップと、前記放送の受信未完状態であると判断された場合は放送の受信未完状態であることを示す音を出力して通知するステップとを備えるように構成している。
【発明の効果】
【０００７】
上記した構成によれば、選局された放送から放送信号を取得し、この取得された放送信号を用いて選局された放送を選局している状態であるか否かを判断し、放送の受信未完状態であると判断された場合はその旨を通知するようにしたので、ユーザは選局の遷移過程（受信未完による無音状態）を知ることが可能となる。このため、ユーザの利便性を向上させることが可能となる。
【発明を実施するための最良の形態】
【０００８】
以下、図面を参照してこの発明の実施の形態を説明する。
【０００９】
図１はこの発明の実施の形態を示すもので、放送を受信する放送受信装置を示す図である。
【００１０】
符号１は放送受信装置（モバイルＴＶ）、符号７はアンテナ（受信機内に内蔵されていることもある）、符号１３は映像出力装置、符号１４はヘッドフォン（音声出力装置）、符号５０は放送用衛星、６０は放送用中継機である。
【００１１】
図示しない放送局から送信されたＢＳデジタル放送やＣＳデジタル放送は放送用衛星５０を経由して放送受信装置１のアンテナ７で受信される。また、今後放送される予定である地上波デジタル放送は放送用中継機を経由してアンテナ７で受信される。アンテナ７で受信された放送は後述するように映像または音声処理されて、映像は映像出力装置１３で表示され、音声は音声出力装置１４から出力される。尚、ここでは放送の例としてデジタル放送を用いて説明を行うが、放送はアナログ放送でもよい。
【００１２】
図２はこの発明の実施の形態を示すもので、放送受信装置の外観を示す図である。
【００１３】
符号４はユーザによって操作される操作キーである。符号１は上記のように放送受信装置、符号７はアンテナ、符号１３はモニタ、符号１４はスピーカである。
【００１４】
ユーザによって操作キー４が操作され、放送受信装置１の制御が指示される。
【００１５】
図３はこの発明の実施の形態を示すもので、放送受信装置の構成を示すブロック図である。
【００１６】
放送受信装置１は、バッテリ（電池）２、操作キー４、時計６、アンテナ７、チューナ８、ＣＰＵ９、主記憶メモリ（半導体メモリ）１０、不揮発性メモリ１１、映像信号処理部１２、モニタ（表示部、映像出力機器）１３、スピーカ（音声出力部、音声出力機器）１４、受信状態通知処理部２０を構成している。
【００１７】
操作キー４、時計６、アンテナ７、チューナ８、ＣＰＵ９、主記憶メモリ（半導体メモリ）１０、不揮発性メモリ１１、映像信号処理部１２、モニタ（表示部、映像出力機器）１３、スピーカ（音声出力部、音声出力機器）１４、受信状態通知処理部２０で使用される電力はバッテリ（電池）２から供給される。
【００１８】
操作キー４、時計６はＣＰＵ９と接続され、操作キー４、時計６から送信された情報はＣＰＵ９で受信される。またＣＰＵ９はチューナ８、主記憶メモリ（半導体メモリ）１０、不揮発性メモリ１１、映像信号処理部１２、受信状態通知処理部２０と接続され、操作キー４、時計６の情報を用いてこれらを制御する。ＣＰＵ９は不揮発性メモリ１１に記憶されたプログラムによって基本動作を行い、処理によって生じた情報を主記憶メモリ１０へ記憶する。
【００１９】
アンテナ７で受信されたデジタル放送はチューナ８へ送信され、上記のようにユーザによって操作キー４が操作され、ＣＰＵ９から選局の指示がチューナ８に送られることによって選局動作が行われる。ここで選局とは放送局を選択し、所定の放送局から放送される放送を受信することである（選局手段）。
【００２０】
チューナ８で選局された放送から放送信号が取得されＣＰＵ９へ送信される。ＣＰＵ９
はこの取得された放送信号を用いて選局された放送を選局している状態であるか（受信は完了したか）否かを判断する（選局状態判断手段）。
【００２１】
ＣＰＵ９が放送を選局している状態であると判断した場合は受信状態通知処理部２０を制御する。受信状態通知処理部２０はスピーカ１４を制御して、放送を選局している状態であることを示す音を出力（通知）する（通知手段）。
【００２２】
図４はこの発明の実施の形態を示すもので、放送受信装置の通知に係る構成を示すブロック図である。
【００２３】
符号１２ａはデマルチプレクサ、１２ｂは映像デコーダ、１２ｃは音声デコーダである。これらは上記映像信号処理部１２の構成に含まれる。符号２０ａはメロディＩＣであり、上記受信状態通知処理部２０の構成に含まれる。
【００２４】
上記のように、アンテナ７で受信されたデジタル放送はチューナ８へ送信され、選局動作が行われる。チューナ８で選局された放送はデマルチプレクサ１２ａで受信され、デマルチプレクス処理が行われ、放送信号が取得されて、ＣＰＵ９へ送信される。ＣＰＵ９はこの取得された放送信号を用いて選局された放送を選局している状態であるか（受信は完了したか）否かを判断する（選局状態判断手段）。
【００２５】
また上記デマルチプレクス処理が行われた映像信号は、映像デコーダ１２ａで受信されＭＰＥＧ２やＭＰＥＧ４等の映像デコード処理が行われ、映像出力機器１３へ出力されて表示される。
【００２６】
上記デマルチプレクス処理が行われた映像信号は、音声デコーダ１２ｂで受信され音声デコード処理が行われ、音声出力機器（スピーカ）１４から音声が出力される。
【００２７】
上記のように、ＣＰＵ９が放送を選局している状態であると判断した場合は無音状態であり、メロディＩＣ２０ａを制御する。メロディＩＣ２０ａはメロディを出力し、音声デコーダ１２ｂから出力される音声と合わせて音声出力機器１３からメロディが出力され、放送を選局している状態であることを示す音を出力（通知）する。
【００２８】
図５はこの発明の実施の形態を示すもので、選局時の様子を説明する図である。
【００２９】
また図６はこの発明の実施の形態を示すもので、選局中を通知する様子を説明する図である。
【００３０】
ここでは、ユーザによってあるサービス（サービス１）視聴中に、別のサービス（サービス２）に切替えて視聴する場合に、サービス１からサービス２へ移動する選局を例にとって説明する。
【００３１】
すなわち、サービス１視聴時にユーザによって操作キー４が操作され、キー入力が行われるとサービス２を選局している時間についてメロディＩＣ出力されるメロディが音声による通知として出力される（図６）。
【００３２】
その後、サービス２が受信できた際には、サ0ービス２の音声出力に切り替えて出力される。尚、ここではサービスとは放送局から送信されるコンテンツすなわち、放送番組を示す（図５）。
【００３３】
この例では、指定したサービスが受信できない場合に、選局中を示す音が鳴り続け、選
局できていない旨をユーザに通知している。
【００３４】
図７はこの発明の実施の形態を示すもので、選局中を通知する様子を説明するフローチャートである。
【００３５】
符号１００は上記のようにユーザによって選局が行われ、選局を開始するステップである。続いて符号１０１を付したステップへ進む。
【００３６】
符号１０１は選局されたサービス（放送）の受信が完了していないか、すなわち受信未完であるか否かを判断するステップである。例えば、デジタル放送で送信されるＳＩ情報が受信できたか否かによってこれを判断することが可能である。受信未完である場合は符号１０２を付したステップへ進む（Ｙｅｓ）。受信未完ではない場合は符号１０３を付したステップへ進む（Ｎｏ）。
【００３７】
符号１０２は上記のように受信未完を通知するメロディを出力するステップである。続いて符号１０１を付したステップへ進み上記処理が繰り返される。
【００３８】
符号１０３はメロディ出力を停止（中止）するステップである。続いて符号１０４を付したステップへ進む。
【００３９】
符号１０４は受信が完了したサービスを再生するステップである。続いて符号１０５を付したステップへ進む。
【００４０】
符号１０５は終了ステップであり、ここでの処理は終了する。
【００４１】
次にこの発明に係る他の実施の形態を説明する。
【００４２】
図８はこの発明の実施の形態を示すもので、パレンタルロックを通知する様子を説明する図である。
【００４３】
ここでは、サービス１からサービス２へ切替えて選局を行った場合に、サービス２がパレンタルロックに該当するサービスであった場合の例を用いて説明する。
【００４４】
ここで、パレンタルロックの説明を行う。パレンタルロックとは例えば年齢による視聴制限を行うシステムであり、サービス毎にデータが付与されている。そして、放送受信装置１には、予め、それぞれのサービスを受信してもよい年齢がユーザーによって設定されている。さらにパスワードも設定され、例えば、放送受信装置１に設定されている年齢よりも、サービスに付与されている視聴年齢制限値が低い場合には、視聴できないようにロックされ、パスワードを入力することによってそのサービスの視聴が可能となる。ここでは、このパレンタルロックをメロディＩＣから出力される音により通知する。
【００４５】
すなわち、サービス１視聴時にユーザによって操作キー４が操作され、キー入力が行われるとサービス２を選局し、サービス２が受信される。このとき、ＣＰＵ９はサービス２がパレンタルロックに該当するサービスであるか否かを判断する。サービス２がパレンタルロックに該当するサービスである場合は、パレンタルロックに該当するサービスであることを通知する音声出力に切り替えて出力される。
【００４６】
この例では、サービス２がパレンタルロックに該当するサービスである場合に、パレンタルロックに該当するサービスであることを通知する音が鳴り続け、ユーザに通知している。
【００４７】
図９はこの発明の実施の形態を示すもので、パレンタルロックを通知する様子を説明するフローチャートである。
【００４８】
符号２００は上記のようにユーザによって選局が行われ、選局を開始するステップである。続いて符号２０１を付したステップへ進む。
【００４９】
符号２０１はパレンタルロックに該当するサービスであるか否かを判断するステップである。上記のようにＣＰＵ９がこれを判断する。パレンタルロックに該当するサービスであると判断された場合は符号２０２を付したステップへ進む（Ｙｅｓ）。パレンタルロックに該当するサービスではないと判断された場合は符号２０３を付したステップへ進む（Ｎｏ）。
【００５０】
符号２０２はパレンタルロックに該当するサービスであることを通知するメロディを出力するステップである。続いて符号２０１を付したステップへ進み上記処理が繰り返される。
【００５１】
符号２０３はパレンタルロックに該当するサービスであることの通知を停止（中止）するステップである。続いて符号２０４を付したステップへ進む。
【００５２】
符号２０４は例えば上記パスワード入力等によってパレンタルロックの制限が解除されたサービスを再生するステップである。続いて符号２０５を付したステップへ進む。
【００５３】
符号２０５は終了ステップであり、ここでの処理は終了する。
【００５４】
この発明においては、このように構成することによってパレンタルロックされたサービスを通知によって知ることができる効果がある。
【００５５】
図１０はこの発明の実施の形態を示すもので、予約を通知する様子を説明する図である。
【００５６】
ここでは、予め放送受信装置１の例えばＣＰＵ９に予約がなされている場合の動作を例にとって説明する。
【００５７】
例えば、上記のようにユーザがサービス１を視聴しているとする。このとき、予め視聴予約が登録されており、この視聴予約が実行されると予約された別なサービス（サービス２）が選局される。この視聴予約をユーザーが認識していれば、必ずしも予約を全て認識しているものではない。ユーザが、この視聴予約を忘れていた場合には、何故切換選局が実行されてしまったのかはユーザには不明であることがある。ここでは、予約実行の所定時間前（例えば１分前）に、予約時間を示す通知を行う（音を鳴らす）ことで、ユーザに予約の実行が行われることを通知するものである。尚、予約は視聴予約に限られるものではなく、録画予約でもよい。
【００５８】
図１１はこの発明の実施の形態を示すもので、予約を通知する様子を説明するフローチャートである。
【００５９】
符号９７はユーザによってサービス１の選局が行われ、選局を開始するステップである。続いて符号９８を付したステップへ進む。
【００６０】
符号９８は予め予約が登録されているか否かを判断するステップである。予約が登録さ
れている場合は符号９９を付したステップへ進む（Ｙｅｓ）。予約が登録されていない場合は符号９８を付したステップへ進みここでの処理が繰り返される（Ｎｏ）。
【００６１】
符号９９は予約されたサービス（ここではサービス２）の選局を開始するステップである。続いて符号１００を付したステップへ進む。
【００６２】
符号１００はサービス２を受信するようチャンネルを切替えるステップである。続いて符号１０１を付したステップへ進む。
【００６３】
符号１０１は選局されたサービス（放送）の受信が完了していないか、すなわち受信未完であるか否かを判断するステップである。例えば、デジタル放送で送信されるＳＩ情報が受信できたか否かによってこれを判断することが可能である。受信未完である場合は符号１０２を付したステップへ進む（Ｙｅｓ）。受信未完ではない場合は符号１０３を付したステップへ進む（Ｎｏ）。
【００６４】
符号１０２は上記のように受信未完を通知するメロディを出力するステップである。続いて符号１０１を付したステップへ進み上記処理が繰り返される。
【００６５】
符号１０３はメロディ出力を停止（中止）するステップである。続いて符号１０４を付したステップへ進む。
【００６６】
符号１０４は受信が完了したサービスを再生するステップである。続いて符号１０５を付したステップへ進む。
【００６７】
符号１０５は終了ステップであり、ここでの処理は終了する。
【００６８】
このように構成することによって、この発明の実施の形態においては視聴予約をユーザーが認識していない場合でも、予約の実行を知ることができる効果がある。
【００６９】
図１２はこの発明の実施の形態を示すもので、お好みチャンネルを通知する様子を説明する図である。
【００７０】
ここでは、予め放送受信装置１の例えばＣＰＵ９にお好みチャンネルが設定されている場合の動作を例にとって説明する。
【００７１】
選局を行う場合に、さまざまなサービスを連続して選局することがあるが、この際、ユーザが予め登録したお好みチャンネルが選局された場合にこれを通知するものである。ここで、お好みチャンネルとは、例えばユーザが予め好みのジャンルを登録しておくと、放送受信装置１のＣＰＵ９が、このジャンルに合致したサービス（番組）を検索して抽出するものである。
【００７２】
ここでは、ユーザがサービス１、サービス２を選局しているうちにお好みチャンネル（ここではサービス３）への切換を通知するものである。
【００７３】
図１３はこの発明の実施の形態を示すもので、お好みチャンネルを通知する様子を説明するフローチャートである。
【００７４】
符号８７はユーザによってサービス１、サービス２の選局が行われ、選局を開始するステップである。続いて符号８８を付したステップへ進む。
【００７５】
符号８８は予めお好みチャンネルが登録されているか否かを判断するステップである。お好みチャンネルが登録されている場合は符号８９を付したステップへ進む（Ｙｅｓ）。予約が登録されていない場合は符号８８を付したステップへ進みここでの処理が繰り返される（Ｎｏ）。
【００７６】
符号８９はお好みチャンネルが設定されたサービス（ここではサービス３）の選局を通知するステップである。続いて符号１００を付したステップへ進む。
【００７７】
符号１００はお好みチャンネルが登録されたチャンネルへ切換えるステップである。続いて符号１０１を付したステップへ進む。
【００７８】
符号１０１は選局されたサービス（放送）の受信が完了していないか、すなわち受信未完であるか否かを判断するステップである。例えば、デジタル放送で送信されるＳＩ情報が受信できたか否かによってこれを判断することが可能である。受信未完である場合は符号１０２を付したステップへ進む（Ｙｅｓ）。受信未完ではない場合は符号１０３を付したステップへ進む（Ｎｏ）。
【００７９】
符号１０２は上記のように受信未完を通知するメロディを出力するステップである。続いて符号１０１を付したステップへ進み上記処理が繰り返される。
【００８０】
符号１０３はメロディ出力を停止（中止）するステップである。続いて符号１０４を付したステップへ進む。
【００８１】
符号１０４は受信が完了したサービスを再生するステップである。続いて符号１０５を付したステップへ進む。
【００８２】
符号１０５は終了ステップであり、ここでの処理は終了する。
【００８３】
このように構成することで、この発明の実施の形態においては、ユーザはお好みに登録されているチャンネルの選局を知ることができる効果がある。
【００８４】
図１４はこの発明の実施の形態を示すもので、サービスの映像付を通知する様子を説明する図である。
【００８５】
ここでは、選局が完了した際に、受信したサービスに映像がついている場合に映像付を示す通知を行う（音を鳴らす）動作を例にとって説明する。
【００８６】
上記と同様にサービス１からサービス２へ切換えられ、サービス２受信の際、ＣＰＵ９がサービス２に映像が付いているか否かを判断し、サービス２に映像が付いている場合は、これを音によって通知する。ユーザはサービス２の映像付きを知り、映像出力装置１３へ映像を表示して視聴することができる。
【００８７】
図１５はこの発明の実施の形態を示すもので、サービスの映像付を通知する様子を説明するフローチャートである。
【００８８】
符号１００は上記のようにユーザによって選局が行われ、選局を開始するステップである。続いて符号１０１を付したステップへ進む。
【００８９】
符号１０１は選局されたサービス（放送）の受信が完了していないか、すなわち受信未完であるか否かを判断するステップである。例えば、デジタル放送で送信されるＳＩ情報
が受信できたか否かによってこれを判断することが可能である。受信未完である場合は符号１０２を付したステップへ進む（Ｙｅｓ）。受信未完ではない場合は符号１０３を付したステップへ進む（Ｎｏ）。
【００９０】
符号１０２は上記のように受信未完を通知するメロディを出力するステップである。続いて符号１０１を付したステップへ進み上記処理が繰り返される。
【００９１】
符号１０３はメロディ出力を停止（中止）するステップである。続いて符号１０４を付したステップへ進む。
【００９２】
符号１０４は受信が完了したサービスを再生するステップである。続いて符号１１５を付したステップへ進む。
【００９３】
符号１１５はＣＰＵ９が再生されたサービス（ここではサービス２）に映像が付いているか否かを判断するステップである。サービスに映像が付いている場合は符号１１６を付したステップへ進む（Ｙｅｓ）。サービスに映像が付いていない場合は符号１０５を付したステップへ進む（Ｎｏ）。
【００９４】
符号１１６は映像付を知らせるメロディーを出力するステップである。続いて符号１０５を付したステップへ進む。
【００９５】
符号１０５は終了ステップであり、ここでの処理は終了する。
【００９６】
このように構成することで、この発明は切換えられたサービスに映像が付いている場合に、映像の有無を知ることができる効果がある。
【００９７】
なお、この発明は上記した実施の形態そのままに限定されるものではなく、実施段階ではその趣旨を逸脱しない範囲で構成要素を種々変形して具体化することができる。
【図面の簡単な説明】
【００９８】
【図１】この発明の実施の形態を示すもので、放送を受信する放送受信装置を示す図。
【図２】この発明の実施の形態を示すもので、放送受信装置の外観を示す図。
【図３】この発明の実施の形態を示すもので、放送受信装置の構成を示すブロック図。
【図４】この発明の実施の形態を示すもので、放送受信装置の通知に係る構成を示すブロック図。
【図５】この発明の実施の形態を示すもので、選局時の様子を説明する図。
【図６】この発明の実施の形態を示すもので、選局中を通知する様子を説明する図。
【図７】この発明の実施の形態を示すもので、選局中を通知する様子を説明するフローチャート。
【図８】この発明の実施の形態を示すもので、パレンタルロックを通知する様子を説明する図。
【図９】この発明の実施の形態を示すもので、パレンタルロックを通知する様子を説明するフローチャート。
【図１０】この発明の実施の形態を示すもので、予約を通知する様子を説明する図。
【図１１】この発明の実施の形態を示すもので、予約を通知する様子を説明するフローチャート。
【図１２】この発明の実施の形態を示すもので、お好みチャンネルを通知する様子を説明する図。
【図１３】この発明の実施の形態を示すもので、お好みチャンネルを通知する様子を説明するフローチャート。
【図１４】この発明の実施の形態を示すもので、サービスの映像付を通知する様子を説明する図。
【図１５】この発明の実施の形態を示すもので、サービスの映像付を通知する様子を説明するフローチャート。
【符号の説明】
【００９９】
１…放送受信装置（モバイルＴＶ）、２…バッテリ（電池）、４…操作キー、６…時計、７…アンテナ、８…チューナ、９…ＣＰＵ、１０…主記憶メモリ（半導体メモリ）、１１…不揮発性メモリ、１２…映像信号処理部、１２ａ…デマルチプレクサ、１２ｂ…映像デコーダ、１２ｃ…音声デコーダ、１３…モニタ（表示部、映像出力機器）、１４…スピーカ（音声出力部、音声出力機器）、２０…受信状態通知処理部、２０ａ…メロディＩＣ、５０…放送用衛星、６０…放送用中継機。
【図１】
2005136713.tif 000003
【図２】
2005136713.tif 000004
【図３】
2005136713.tif 000005
【図４】
2005136713.tif 000006
【図５】
2005136713.tif 000007
【図６】
2005136713.tif 000008
【図７】
2005136713.tif 000009
【図８】
2005136713.tif 000010
【図９】
2005136713.tif 000011
【図１０】
2005136713.tif 000012
【図１１】
2005136713.tif 000013
【図１２】
2005136713.tif 000014
【図１３】
2005136713.tif 000015
【図１４】
2005136713.tif 000016
【図１５】
2005136713.tif 000017